(57)【要約】【課題】種々な形態と大きさの貨物を扱う小口配送の業界において採用が可能であり、多大な労力と時間を縮小し、また、効率よく積み込み、積み降ろしが可能な配送システムの提供。【解決手段】箱型貨物室４を備えた配送当番トラック２と中間コンテナ３を備え、中間コンテナ３を前記箱型貨物室４の内形に対してほとんど隙間なくはまり込む外形とし、荷捌きされた貨物を中間コンテナにあらかじめ積み込んで既積み中間コンテナ３ａとして保管しておき、既積み中間コンテナ３ａをそのまま前記箱型貨物室４積み込み、配送先にて既積み中間コンテナ３ａのまま積み降ろす。【選択図】図１
2019210079.tif 000002
【特許請求の範囲】
【請求項１】
箱型貨物室を備えたトラックと中間コンテナを備え、
中間コンテナをトラックの箱型貨物室の内形に対してほとんど隙間なくはまり込む外形とし、
荷捌きされた貨物を中間コンテナにあらかじめ積み込んで既積み中間コンテナとして保管しておき、
既積み中間コンテナをそのまま前記トラックの箱型貨物室に積み込み、
配送先にて既存中間コンテナのまま積み降ろすことを特徴とした小口配送システム。
【請求項２】
中間コンテナは、内部の積み込み状況を外部から目視できる構造であることを特徴とした請求項１に記載の小口配送システム。
【請求項３】
中間コンテナは、内部に通路とラックを備え、ラックは貨物収納用に区分けされると共に、各収納箇所に貨物を検出する検出器と検出器からの信号に基づき貨物の積み込み状況を表示する手段を備えていることを特徴とした請求項１に記載の小口配送システム。
【請求項４】
箱型貨物室を備えたトラック、中間コンテナおよび複数の分別収納庫を備え、
中間コンテナをトラックの箱型貨物室の内形に対してほとんど隙間なくはまり込む外形とし、
複数の分別収納庫は中間コンテナ内形に対してほとんど隙間なくはめ込んで収納できる外形とし、分別収納庫は収納物品の特性に応じた必要な環境で内部に貨物を収納できるものであり、
荷捌きされた貨物をまず分別収納庫に納めて既積み分別収納庫とし、ついで、既積み分別収納庫を中間コンテナに積み込んで既積み中間コンテナとして保管しておき、既積み中間コンテナをそのままトラックの箱型貨物室へ積み込み、
配送先にて既積み中間コンテナをそのまま積み降ろすことを特徴とした小口配送システム。
【請求項５】
分別収納庫は、収納物品の特性に応じて準備された環境に応じて外観が色分けされていることを特徴とした請求項４に記載の小口配送システム。
【請求項６】
分別収納庫がそれぞれ冷凍庫、冷蔵庫、常温庫であり、給食配送を特徴とした請求項４に記載の小口配送システム。
【発明の詳細な説明】
【技術分野】
【０００１】
本発明は、集配センターを中心に構築される配送システムに関する。
【背景技術】
【０００２】
大量の貨物を扱う集配センターなどでは、配送先別に仕分けされた貨物をトラックの荷台（バン）内部へ人手により荷積みしているが、多大な時間と労力を要している。
荷積み・荷降ろしの労力と時間を軽減するために種々の工夫がなされている。
特許文献１に記載の「荷役装置・方法」では、方形の台座２にあらかじめトラック１台分の荷物を積みつけておき、フォーク移動式荷役装置（フォーク３など）により、積み付けたそのままの状態でトラックの荷台２０へ一度に積み込むシステムが記載されている。
【０００３】
特許文献２に記載の「商品の保管に関する改良」では、トラックのバン内部側壁に水平レール（第２の案内手段５６）を取付け、水平レールに垂直レール（第１の案内レール１０）を横移動可能に取付け、垂直レールにフレームによる物資支持装置５２を上下移動可能に取付けている。そして、この装置により貨物をバンの奥から順次、無駄な空間を作らないように積み込んでいくという装置（システム）である。
【０００４】
特許文献３の荷役システムは、貨物センターＳに横移動機構２００ｂとこれに沿って移動する搬送台２００ａを配置し、基台２００ｄにおいて貨物を積み込み、積み込んだ貨物を搬送台２００ａ（縦移動機構）に移動させ、搬送台２００ａをトラックヤードに後ろ着けしたトラックの荷台位置に横移動させ、その位置から車両用荷役装置４００と共にバン内部へ搬送台２００ａを用いて押し込む構造である。
【０００５】
特許文献４の「荷物の積み降ろし装置と方法」には、車両側に積み込みウィンチを、プラットホーム側に引き出しウィンチを設け、両ウィンチ間にシート板を配置し、シートを引き込み、引き出すことで、シート板に積み付けた貨物をそのまま車両に積み込んだり、積み降ろしたりする方法と装置が記載されている。
一般に、広い荷捌きヤードを有している集配センターではプラットホームにおいて貨物を行き先別に積み上げたり、かご台車に載せてまとめておいたりするが、それでもトラックのバン内へ貨物を積み込みのための労力と必要な時間は大きい。
【０００６】
荷降ろしに関しても同様である。しかも、これらの作業はトラックの運転手が行なうことが多く、運転者の超過勤務を招いている。
そして、トラックへの荷積みや荷降ろしに時間を要していると、次々と到着するトラックのために付近の道路が渋滞して、近隣の交通を混乱させることもある。
【先行技術文献】
【特許文献】
【０００７】
【特許文献１】特開平１１−１３０２６８号公報
【特許文献２】特表平８−５００７８９号公報
【特許文献３】特開２０１０−２１５３５４号公報
【特許文献４】特開平４−１５９９２６号公報
【発明の概要】
【発明が解決しようとする課題】
【０００８】
特許文献１に記載の荷役方法を達成するには、積みつけた貨物がフォーク車によって移動される際に荷崩れを起こさないことが重要である。このため、この荷役方法で搬送できる貨物は、一定規格のダンボールなどに梱包されモジュール化されたものに限定され、小口搬送のような種々雑多な大きさの貨物を集めた搬送には適していない。
特許文献２の搬送に関する改良方法は、種々な形態、大きさの貨物をバン（箱型の貨物室）の奥から空間の無駄なく積み込むことができるが、多大な労働と時間の問題が解決されていない。
【０００９】
特許文献３の荷役システムは、労働と時間の問題を解決できるかも知れない。しかし、前記同様、利点が発揮できるのは、モジュール化された貨物の場合であり、例えば、小型のバン型トラックを用いて種々な形態と大きさの貨物を扱う小口搬送のシステムには向かない。
特許文献４の「荷物の積み降ろし方法及び装置」では、シート上に積み付けた貨物をシートごと移動させるので、荷崩れが発生し易い。前記同様、モジュール化され安定して積み付けることができる貨物の搬送に適したものといえる。
【００１０】
なお、特許文献４には、実施例の一つとしてボックス型パレット（図４Ｂ）が記載されているが、これは、シート板３Ａの前縁、左右側縁に壁体１４を着脱可能に取り付けたものであり、しかも貨物を積み込むときは壁体１４を取り外している。
つまり、この実施例は、ボックス型とはいえ、また、比較的不定形荷物の運搬に適しているとの記載があるものの、基本的に平らなシート板３Ａであって、積み込み後荷崩れ防止のために三方に壁体１４を立ち上げる構成としたものである。
【００１１】
そこで、この発明は、種々な形態と大きさの貨物を扱う小口配送の業界において採用が可能であり、多大な労力と時間を縮小し、また、効率よく積み込み、積み降ろしが可能な配送システムの提供を課題とする。
【課題を解決するための手段】
【００１２】
箱型貨物室を備えたトラックと中間コンテナを備え、中間コンテナをトラックの箱型貨物室の内形に対してほとんど隙間なくはまり込む外形とし、荷捌きされた貨物を中間コンテナにあらかじめ積み込んで既積み中間コンテナとして保管しておき、前記既積み中間コンテナを順次、そのままトラックの箱型貨物室の内部に積み込み、配送先にて既積み中間コンテナのまま積み降ろしてそのまま保管する、小口配送システムとする。
なお、本願において、前記の「ほとんど隙間なくはまり込む外形」は「出し入れに支障がない程度にピッタリとはまり込む外形」を意味する。
【００１３】
中間コンテナは、既積み状態で内部の積み込み情況を外部から目視できる構造とすることがある。
中間コンテナは、内部に通路とラックを備え、ラックは貨物収納用に区分けされると共に、各収納箇所に貨物を検出する検出器と検出器からの信号に基づき貨物の積み込み状況を表示する手段を備えたものとすることがある。
貨物の積み込み状況を表示する手段は、トラックの運転席に配置されていることが好ましい。
【００１４】
中間コンテナへ積み付ける貨物の形態として、複数の分別収納庫を利用することがある。各分別収納庫は冷凍庫、冷蔵庫、常温庫のように、収納貨物の特性に応じた必要な環境で内部に貨物を収納できるものである。
分別収納庫は、中間コンテナ内へ複数をほとんど隙間なくはめ込まれた状態に収納できる規格化されて外形とする。
そして、この小口配送システムでは、貨物は、集配センターにおいてまず分別収納庫に納められる。
【００１５】
ついで、積み付けの済んだ分別収納庫（既積み分別収納庫）を中間コンテナに積み込み、既積み中間コンテナとして保管しておく。
既積み中間コンテナは、前記の場合と同様に、集配センターのトラックヤードに待機している配送当番トラックの箱型貨物室に、そのまま積み込み、配送先にてそのまま積み降ろす。複数の分別収納庫についても必要があれば、そのまま保管される。
【発明の効果】
【００１６】
荷捌きされた貨物は集配センターにおいてまず中間コンテナに積み込んで保管されるので、貨物を集配センターのトラックヤードに荷積みしたり、かご台車に積んで保管したりするなどの手間が省かれる。
また、既積み中間コンテナは、配送担当トラックへの荷積みまでそのままにしておき、トラックの到着と同時にそのまま積み込めばよいので、トラックヤードに荷積みしておいた貨物を当番トラックの到着にあわせてトラックまで運んだり、荷積みされたかご台車をトラックまで運んだりする手間が省ける。
【００１７】
また、配送先では既積み中間コンテナをトラックの箱型貨物室からそのまま引き出して積み降ろし、そのまま集配センターのトラックヤードに保管すればよいので荷降ろしの手間も省ける。
小口配送では荷積み、荷降ろしの作業は通常、トラックの運転者が行っていたので、中間コンテナを利用することで積み込みの作業手数が少なくなり、トラック運転者の過重労働を解決することができる。
トラックへの積み込みに際して貨物は既に中間コンテナに積み付けられているので、配送当番トラックの到着にあわせてすばやい積み込みと配送先での積み降ろしが可能なので、待機トラックの列で周辺道路を占拠することもない。
【図面の簡単な説明】
【００１８】
【図１】〔イ〕、〔ロ〕、〔ハ〕は、小口配送システムの進行状況を説明するための図である。
【図２】実施例１を概略で示す平面図。
【図３】実施例１を概略で示す正面図。
【図４】ウインチによる中間コンテナの積み込み〔イ〕と積み降ろし〔ロ〕を説明するための正面図。
【図５】実施例２を概略で示す斜視図。
【発明を実施するための形態】
【００１９】
［実施例１］
図１は、実施例１としてこの発明の最も基本的な例を示すものであり、小口配送システム１は、配送当番トラック２と中間コンテナ３で構成されている。
トラック２はバントラックで荷台として箱型貨物室４を備えている。箱型貨物室４は、この実施例において、後端に両開き扉を有する後端出入り型である。
中間コンテナ３は直方体でその外形をトラック２の箱型貨物室４の内形に対してほとんど隙間なくはまり込む外形としてある。
【００２０】
中間コンテナ３はいわゆる鉄道コンテナや海運コンテナのように頑丈に作る必要はなく、せいぜい床板を頑丈なパネルで構成する以外は軽量なアルミ合金形材のパネルを直方体に組み付ける程度でよい。
要するに配送車の箱型貨物室４に収納されて運ばれるものであるから、外力に対する強度はさほど必要がない。
ただ、床板６は貨物７の荷重を支えまた中間コンテナ３を移動させる際に外部から移動のための力を加える部分なので、１０〜２０ｋＮ程度の荷重に耐えるものとする。
また、中間コンテナ３はトラックヤード８での移動やトラック２の箱型貨物室４の内部での移動に便利なように、床板６の底面を滑り面に構成したり、コロや小さな車輪を設けたりすることがある。
【００２１】
このような、小口配送システム１は次のように稼動する。
集配センター５に集められた貨物７は、トラックヤード８の作業員によって中間コンテナ３の内部に積み付け、積み付けの完了した既積み中間コンテナ３ａとする。ついで、トラック２の箱型貨物室４に既積み中間コンテナ３ａを積み込む（図１イ）。既積み中間コンテナ３ａは配送当番のトラック２が到着していない場合は、待機のためにトラックヤード８に保管されることがある。
【００２２】
中間コンテナ３への積み付けはトラックヤード８の作業員が行い、既積み中間コンテナ３ａをトラック２へ積み込む作業はトラックの運転者が行なう。
トラック２への積み込みは、すでに積み付けが完了している既積み中間コンテナ３ａを、集配センター５が備えた荷積み・荷降ろし装置を用いて行なうだけなので、運転者の労力と時間はさほど大きくない。
【００２３】
配送先では、トラック２の箱型貨物室４から既積み中間コンテナ３ａを、そのままトラックヤード８に引き出し、そのまま保管する。引き出し保管する作業はトラック２の運転者が行なうが、前記と同様、集配センター５が備えた荷積み・荷降ろし装置を用いて行なうだけなので、運転者の労力と時間はさほど大きくない。
【００２４】
保管された既積み中間コンテナ３ａの開梱はトラックヤード８の作業員が行い、さらに各貨物７のあて先に配送されることとなる（図１ロ）。
あるいは、配送当番トラック２の運転者が箱型貨物室４に積載している既積み中間コンテナ３ａを積載のまま開梱して、内部の貨物７をそれぞれのあて先へ直接に配送することもある（図１ハ）。
【００２５】
［実施例２］
図２、図３は、トラックヤード８に荷捌き装置９を備えた集配センター５に前記の基本的な例を適用した例である。
トラックヤード８は、一側にトラック２（配送当番トラック２）が後着けされるブース１０を備え、ブース１０に対し屋内側に荷捌き装置９が配置されている。ブース１０は複数構成されている。
【００２６】
荷捌き装置９は、屋内側からブース１０側への方向（横方向）で、メイン搬送コンベア１１と荷受台１２、中間コンテナ供給トロリー１３が配置されている。また、ウインチ装置１４を備えている（図４）。
メイン搬送コンベア１１は前記の横方向に対してトラックヤード８の平面上、縦方向に配置されたコンベア装置である。メイン搬送コンベア１１に沿って荷受台１２が縦方向の所定間隔に配置されている。
【００２７】
メイン搬送コンベア１１はまた、前記荷受台１２が配置された箇所に仕分け装置１５を備えている。仕分け装置１５は、メイン搬送コンベア１１に載って縦方向に運ばれてくる貨物７を指定された位置で横方向に移動させて荷受台１２上に移転させる。どの荷受台１２へ移転させるかは、この実施例において貨物７に貼られた識別ラベルを仕分け装置１５のセンサーで識別している。
【００２８】
中間コンテナ供給トロリー１３（図２，３）は、中間コンテナ３を吊り上げて縦方向へ移動し、所定の位置、すなわち、前記荷受台１２とこれに横方向で対応したブース１０との中間位置（積み付け箇所）に移動させ、その位置に中間コンテナ３を配置する。また、前記積み付け箇所における既積み中間コンテナ３ａを吊り上げて保管位置まで縦方向に移動させる機能を有する。なお、この実施例では中間コンテナ３の床板６の下面に小さなコロないし車輪６ａが定位置の縦方向の軸で回転するように設けられており、これらでトラックヤード８の上面を移動する。
【００２９】
ウインチ装置１４（図４）は、この実施例において、トラック側ウインチ装置１４ａとトラックヤード側ウインチ装置１４ｂとで構成される。ウインチ装置１４は、巻き取ることができるワイヤ１６（１６ａ，１６ｂ）とその先端に取り付けられたフック（１７ａ，１７ｂ）を備える。なお、図４において符号１８は渡り板装置であり、ブース１０に後着けされたトラック２の箱型貨物室４の後端とトラックヤード８の側端との隙間を橋渡しするもので、この実施例では油圧によって上下移動される。
【００３０】
集荷された貨物７は、メイン搬送コンベア１１に載せられてトラックヤード８に送られ、仕分け装置１５で目的の荷受台１２に移転される。
各ブース１０には中間コンテナ３が配置された状態となっている（図２）。
荷受台１２に仕分けされた貨物７は、トラックヤードの作業員がこの実施例では手作業で中間コンテナ３の内部に積み付けいく。
【００３１】
積み付けが完了し、既積みとなった中間コンテナ３ａは、配送当番のトラック２がブース１０に到着しているときは、トラック側ウインチ装置１４ａのワイヤ１６ａを引き出して先端のフック１７ａを既積み中間コンテナ３ａの前端に係合し、ワイヤ１６ａを巻き上げる。これにより既積み中間コンテナ３ａは、トラック２の箱型貨物室４に引き込まれ、積み込まれる。この作業は配送当番の運転手が行なう。
【００３２】
中間コンテナ３に積み付けが完了しても配送当番のトラック２がブース１０に到着していないときは、既積み中間コンテナ３ａをその位置に待機させ、次の中間コンテナ３への積み付けを行なう。なお、待機させた既積み中間コンテナ３ａをトラック２へ積み込むのは前記の通りであり、簡単に行なえる。そして、積み込まれた後の積み付け箇所には新たな中間コンテナ３が中間コンテナ供給トロリー１３によって運び込まれる。
【００３３】
一方、既積み中間コンテナ３ａは配送先で、トラックヤード８側のウインチ装置１４ｂのワイヤ１６ｂ先端のフック１７ｂを既積み中間コンテナ３ａの後端に係合し、ワイヤ１６ｂを巻き込むことで、箱型貨物室４から、そのままトラックヤード８上に引き出され、積み降ろしが終了する。この作業は、トラックヤード側の作業員が行なうが、運転手が行なっても簡単に行なえる。
積み降ろされた既積み中間コンテナ３ａの開梱は、前記のように、トラックヤード８の作業員が行い、さらに各貨物７のあて先に配達されることとなる（図１ロ）。
あるいは、配送当番トラック２の運転者が箱型貨物室４に積載している既積み中間コンテナ３ａを積載のまま開梱して、内部の貨物７をそれぞれのあて先へ直接に配達することもある（図１ハ）。
【００３４】
配送当番トラック２は、配送先で既積み中間コンテナ３ａを積み降ろした後、配送先で準備されていた既積み中間コンテナ３ａを積み込んで集配センター５に戻ってもよいし、既に空となっている別の中間コンテナ３を積み込んで戻ってもよい。このように中間コンテナ３は集配センター５と配送先（複数のこともある）及び配送当番トラック２間を流通する（通う）ものとなる。
【００３５】
［実施例３］
この小口配送システム１は、給食センターの配送システムとして大きな効果を発揮する。
例えば、給食センターでは、給食先に常温品、冷蔵品及び冷凍品を同時に配送する必要が生じる。
これら３種の品は一体梱包が不可であるから、従来、それぞれ専用のトラックで配送している。
また、これらを定刻に配達する必要がある。
このため、トラックの台数や配送のための人員が増大し、また、積み込み、積み降ろしなど、配送に必要な時間が増大している。
【００３６】
図５は実施例３の概要を示したものであり、基本的に実施例１の場合と同様であるが、トラック２と中間コンテナ３の他に分別収納庫１９を備える。
トラック２は箱型貨物室４を有し、中間コンテナ３は前記実施例１，２の場合と同様である。
分別収納庫１９は、この実施例において冷凍食品用収納庫１９ａ、冷蔵食品用収納庫１９ｂ及び常温食品用収納庫１９ｃとなっている。すなわち、分別収納庫１９は収納する貨物（食品）の特性に応じて必要な環境を整えることができる収納庫を意味する。
【００３７】
中間コンテナ３は、前記のとおり、トラック２の箱型貨物室４の内形に対してほとんど隙間なくはまり込む外形であり、さらに、３個（基本的に複数）の分別収納庫１９は、前記中間コンテナ３の内形に対してほとんど隙間なくはめ込んで収納できる外形としてある。
そして、荷捌きされた食品をまず分別収納庫１９へその特性に応じて納める（既積み分別収納庫２０）。ついで、既積み分別収納庫２０を中間コンテナに積み込んで既積み中間コンテナ３ａとする。そして、配送当番のトラック２が到着しておれば、そのまま積み込み、到着していない場合はその状態で待機する。
【００３８】
トラック２への積み込みは、既積み中間コンテナ３ａとして積み付けが完了しているので、トラック２の運転者が行なっても少ない労力と時間とで行なえる。
配達先では、トラック２から既積み中間コンテナ３ａを引きだすことで積み降ろしが完成する。内部の食品はそれぞれに環境の整った分別収納庫１９に納められているので、劣化してしまうことがない。しかも、給食に際しては食品を分別収納庫１９のまま配膳室に運びこむことができ衛生的にすぐれている。
【００３９】
分別収納庫１９は、それぞれの環境が異なるにも係わらず、外形が似てしまうので、保証できる環境に応じて外観の色を変えたり、大きな表示をしたりしておくことが好ましい。
また、中間コンテナ３に積み付けてしまうと、外部から積み付けた既積み分別収納庫２０を見分けることができないので、中間コンテナ３を床板６以外を格子で構成するとか中を見通せる窓を設けておくことも好ましい。
【００４０】
実施例３によれば、中間コンテナ３を用いる前記の基本構造が発揮する効果に加え、下記の作用効果が発揮される。
冷凍、冷蔵、常温保存など保存条件の異なる食品を一挙に配送でき、手間と時間を短縮できる。これにより、トラックの数、運転者の数を削減できる。
要冷蔵、冷凍品を前の日から分別収納庫１９に準備しておける。給食して完成した段階で順次、分別収納庫１９に入れて保管できる。すなわち、分別収納庫１９ａ、１９ｂを冷凍庫、冷蔵庫として利用できる。
分別収納庫１９を翌日回収するのであれば、配送先でこれらを冷蔵庫、冷凍庫として利用できる。ただし、分別収納庫１９を回収する必要がある。
【００４１】
以上、いくつかの実施例について説明した。
基本的な技術思想を変えることなく種々の変更と付加が可能である。
例えば、前記中間コンテナ３の中央部に通路を設け、両側をラックに構成してラックの各区画に貨物７を収納する構造とすることもできる。このときは、各区画にセンサーを配置して収納された貨物７の位置と品目、配送先などを検出し、これを運転席に配置した端末装置で判別できるようにすることもできる。品目と配送先などは貨物７に付したＱＲコード（登録商標）などから読み取る。配送担当の運転者は、これらのデータを見ながら配送の能率を上げることができる。
【００４２】
分別収納庫１９の利用は食品に限らず、分別保管が必要な物品の同時配送に用いることができる。
また、集配センター５における中間コンテナ３を移動させる手段として、ウインチ装置１４を例に取り上げたが、滑走させるためのそり、帯状のフイルムに載せて移動させるものやトラックヤード８の床面から中間コンテナ３（既積み中間コンテナ３ａ）を持ち上げスライドさせる装置等を用いることができる。
【符号の説明】
【００４３】
１  小口配送システム
２  トラック
３  中間コンテナ
４  箱型貨物室
５  集配センター
６  床板
７  貨物
８  トラックヤード
９  荷捌き装置
１０  ブース
１１  メイン搬送コンベア
１２  荷受台
１３  中間コンテナ供給トロリー
１４  ウインチ装置
１５  仕分け装置
１６（１６ａ，１６ｂ）ワイヤ  
１７（１７ａ，１７ｂ）フック
１８  渡り板装置
１９  分別収納庫
２０  既積み分別収納庫
【図１】
2019210079.tif 000003
【図２】
2019210079.tif 000004
【図３】
2019210079.tif 000005
【図４】
2019210079.tif 000006
【図５】
2019210079.tif 000007
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
箱型貨物室を備えたトラックと、あらかじめ箱状に形成された中間コンテナを備え、
中間コンテナをトラックの箱型貨物室の内形に対してほとんど隙間なくはまり込む外形とし、
荷捌きされた貨物を中間コンテナにあらかじめ積み込んで既積み中間コンテナとして保管しておき、
既積み中間コンテナをそのまま前記トラックの箱型貨物室に積み込み、
配送先にて既積み中間コンテナのまま積み降ろすことを特徴とした小口配送システム。
【請求項２】
中間コンテナは、内部の積み込み状況を外部から目視できる構造であることを特徴とした請求項１に記載の小口配送システム。
【請求項３】
中間コンテナは、内部に通路とラックを備え、ラックは貨物収納用に区分けされると共に、各収納箇所に貨物を検出する検出器と検出器からの信号に基づき貨物の積み込み状況を表示する手段を備えていることを特徴とした請求項１に記載の小口配送システム。
【請求項４】
箱型貨物室を備えたトラック、中間コンテナおよび複数の分別収納庫を備え、
中間コンテナをトラックの箱型貨物室の内形に対してほとんど隙間なくはまり込む外形とし、
複数の分別収納庫は中間コンテナ内形に対してほとんど隙間なくはめ込んで収納できる外形とし、分別収納庫は収納物品の特性に応じた必要な環境で内部に貨物を収納できるものであり、
荷捌きされた貨物をまず分別収納庫に納めて既積み分別収納庫とし、ついで、既積み分別収納庫を中間コンテナに積み込んで既積み中間コンテナとして保管しておき、既積み中間コンテナをそのままトラックの箱型貨物室へ積み込み、
配送先にて既積み中間コンテナをそのまま積み降ろすことを特徴とした小口配送システム。
【請求項５】
分別収納庫は、収納物品の特性に応じて準備された環境に応じて外観が色分けされていることを特徴とした請求項４に記載の小口配送システム。
【請求項６】
分別収納庫がそれぞれ冷凍庫、冷蔵庫、常温庫であり、給食配送を特徴とした請求項４に記載の小口配送システム。
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
あらかじめ箱型貨物室を備えたトラックと、あらかじめ箱状に形成され、内部の積み込み状況を外部から目視できる中間コンテナを備え、
中間コンテナをトラックの箱型貨物室の内形に対してほとんど隙間なくはまり込む外形とし、
荷捌きされた貨物を中間コンテナにあらかじめ積み込んで既積み中間コンテナとして保管しておき、
既積み中間コンテナをそのまま前記トラックの箱型貨物室に積み込み、
配送先にて既積み中間コンテナのまま積み降ろすことを特徴とした小口配送システム。
【請求項２】
中間コンテナは、内部に通路とラックを備え、ラックは貨物収納用に区分けされると共に、各収納箇所に貨物を検出する検出器と検出器からの信号に基づき貨物の積み込み状況を表示する手段を備えていることを特徴とした請求項１に記載の小口配送システム。
【請求項３】
あらかじめ箱型貨物室を備えたトラック、内部の積み込み状況を外部から目視できる中間コンテナおよび複数の分別収納庫を備え、
中間コンテナをトラックの箱型貨物室の内形に対してほとんど隙間なくはまり込む外形とし、
複数の分別収納庫は中間コンテナ内形に対してほとんど隙間なくはめ込んで収納できる外形とし、分別収納庫は収納物品の特性に応じた必要な環境で内部に貨物を収納できるものであり、
荷捌きされた貨物をまず分別収納庫に納めて既積み分別収納庫とし、ついで、既積み分別収納庫を中間コンテナに積み込んで既積み中間コンテナとして保管しておき、既積み中間コンテナをそのままトラックの箱型貨物室へ積み込み、
配送先にて既積み中間コンテナをそのまま積み降ろすことを特徴とした小口配送システム。
【請求項４】
分別収納庫は、収納物品の特性に応じて準備された環境に応じて外観が色分けされていることを特徴とした請求項３に記載の小口配送システム。
【請求項５】
分別収納庫がそれぞれ冷凍庫、冷蔵庫、常温庫であり、給食配送を特徴とした請求項３に記載の小口配送システム。